【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
入力された画像データに基づき画像形成を行う画像形成部と、
原稿から読取り画像データを生成する原稿読取部と、
前記画像形成部及び／または原稿読取部を画像処理不可能な処理不能状態から画像処理可能な処理可能状態へ復帰するための復帰処理を実行する制御部と、
前記外部機器とのデータ通信が可能か否かを検出する検出部と、
外部機器とデータ通信を行う通信部とを備え、
前記検出部が外部機器とのデータ通信が可能になったことを検出すると、前記制御部は、前記外部機器が外部記憶機器であるか否かを確認し、外部記憶機器であることを確認した場合に、前記復帰処理を実行することを特徴とする画像処理装置。
【請求項２】
前記復帰処理として、前記画像形成部の復帰処理である第１復帰処理と、前記原稿読取部の復帰処理である第２復帰処理とを含む複数種類の復帰処理が準備されており、前記制御部は、外部機器が外部記憶機器であることを確認した場合、入力された処理モードごとの指定回数に基づいて前記複数の復帰処理の中から１つまたは複数の復帰処理を選択し実行することを特徴とする請求項１記載の画像処理装置。
【請求項３】
前記処理モードとして前記外部記憶機器に記憶された画像データを前記画像形成部により画像形成する画像形成モードを含み、
画像形成モードの指定回数が所定の回数より多い場合、前記制御部は、前記第１復帰処理を実行することを特徴とする請求項２記載の画像処理装置。
【請求項４】
前記処理モードとして前記原稿読取部で読取った画像データを前記外部記憶機器に記憶する原稿読取モードを含み、
原稿読取りモードの指定回数が所定の回数より多い場合、前記制御部は、前記第２復帰処理を実行することを特徴とする請求項２記載の画像処理装置。
【請求項５】
前記制御部は、前記指定回数を記憶媒体に記憶させることを特徴とする請求項２記載の画像処理装置。
【請求項６】
前記記憶媒体として前記外部記憶機器を用いることを特徴とする請求項５記載の画像処理装置。
【請求項７】
前記制御部は、前記外部機器が外部記憶機器であることを確認した場合、前記記憶媒体に前記指定回数が記憶されているか否かを確認し、前記指定回数が未だ記憶されていない場合、指定された処理モードに基づき指定回数を作成記憶し、前記指定回数が既に記憶されていた場合、指定された処理モードに基づき指定回数を更新することを特徴とする請求項５記載の画像処理装置。
【請求項８】
前記外部記憶機器に記憶されたデータの有無を識別する識別部を含み、
前記識別部の識別結果に基づき、データが前記外部記憶機器に記憶されている場合、前記制御部は、前記画像形成部の復帰処理である第１復帰処理を実行し、データが前記外部記憶機器に記憶されていない場合、前記制御部は、前記原稿読取部の復帰処理である第２復帰処理を実行することを特徴とする請求項１記載の画像処理装置。
【請求項９】
前記外部記憶機器に記憶された画像データのデータ形式を判定する判定部を含み、前記判定部の判定結果に基づき、予め定められた特定のデータ形式の画像データが前記外部記憶機器に記憶されている場合、前記制御部は、前記画像形成部の復帰処理である第１復帰処理を実行し、前記特定のデータ形式の画像データが前記外部記憶機器に記憶されていない場合、前記制御部は、前記原稿読取部の復帰処理である第２復帰処理を実行することを特徴とする請求項１記載の画像処理装置。
【請求項１０】
前記特定のデータ形式が、ビットマップ形式の画像を含むデータ形式であることを特徴とする請求項９記載の画像処理装置。
【請求項１１】
原稿から読取り画像データを生成する原稿読取部と、
前記原稿読取部を画像処理不可能な処理不能状態から画像処理可能な処理可能状態へ復帰するための復帰処理を実行する制御部と、
前記外部機器とのデータ通信が可能か否かを検出する検出部と、
外部機器とデータ通信を行う通信部とを備え、
前記検出部が外部機器とのデータ通信が可能になったことを検出すると、前記制御部は、前記外部機器が外部記憶機器であるか否かを確認し、外部記憶機器であることを確認した場合に、前記復帰処理を実行することを特徴とする原稿読取装置。
【請求項１２】
入力された画像データに基づき画像形成を行う画像形成部と、
前記画像形成部を画像処理不可能な処理不能状態から画像処理可能な処理可能状態へ復帰するための復帰処理を実行する制御部と、
前記外部機器とのデータ通信が可能か否かを検出する検出部と、
外部機器とデータ通信を行う通信部とを備え、
前記検出部が外部機器とのデータ通信が可能になったことを検出すると、前記制御部は、前記外部機器が外部記憶機器であるか否かを確認し、外部記憶機器であることを確認した場合に、前記復帰処理を実行することを特徴とする画像形成装置。
【手続補正２】
【補正対象書類名】明細書
【補正対象項目名】０００１
【補正方法】変更
【補正の内容】
【０００１】
本発明は、外部機器とデータ通信を行う通信部を有する画像処理装置に関する。
【手続補正３】
【補正対象書類名】明細書
【補正対象項目名】０００６
【補正方法】変更
【補正の内容】
【０００６】
本発明に係る画像処理装置は、入力された画像データに基づき画像形成を行う画像形成部と、原稿から読取り画像データを生成する原稿読取部と、  前記画像形成部及び／または原稿読取部を画像処理不可能な処理不能状態から画像処理可能な処理可能状態へ復帰するための復帰処理を実行する制御部と、  前記外部機器とのデータ通信が可能か否かを検出する検出部と、外部機器とデータ通信を行う通信部とを備え、前記検出部が外部機器とのデータ通信が可能になったことを検出すると、前記制御部は、前記外部機器が外部記憶機器であるか否かを確認し、外部記憶機器であることを確認した場合に、前記復帰処理を実行することを特徴とする。
【手続補正４】
【補正対象書類名】明細書
【補正対象項目名】０００７
【補正方法】変更
【補正の内容】
【０００７】
このことにより、検出部が外部機器とのデータ通信が可能になったことを検出すると、制御部は、外部機器が外部記憶機器（例えば、ＵＳＢメモリ）であるか否かを確認し、外部記憶機器であることを確認した場合に、復帰処理（ウオームアップ）を開始する。これにより、操作者を待たせることが無く、処理効率を向上させることができる。
【手続補正５】
【補正対象書類名】明細書
【補正対象項目名】０００８
【補正方法】変更
【補正の内容】
【０００８】
本発明の画像処理装置は、更に前記復帰処理として、前記画像形成部の復帰処理である第１復帰処理と、前記原稿読取部の復帰処理である第２復帰処理とを含む複数種類の復帰処理が準備されており、制御部は、外部機器が外部記憶機器であることを確認した場合に、入力された処理モードごとの指定回数に基づいて前記複数の復帰処理の中から１つまたは複数の復帰処理を選択し実行することを特徴とする。
【手続補正６】
【補正対象書類名】明細書
【補正対象項目名】００１４
【補正方法】変更
【補正の内容】
【００１４】
以上のとおり、検出部が外部機器とのデータ通信が可能になったことを検出すると、制御部は、外部機器が外部記憶機器であるか否かを確認し、外部記憶機器であることを確認した場合に、所定の操作を行うことなく画像処理不可能な処理不能状態から画像処理可能な処理可能状態へ復帰するための復帰処理を開始するので、復帰までの待ち時間が短縮でき、処理効率を向上させることができる。